(57)【要約】【課題】複数の収納物を互いに密接させた状態で収納させることなく、また、収納物の選択的な取りだしを可能とした収納ケースを提供すること。【解決手段】内ケース２は仕切部５２ａ〜５２ｆ、５３ａ〜５３ｆによって画成された複数の収納物保持部５４ａ〜５４ｄを有し、収納物保持部５４ａ〜５４ｄには収納物保持部５４ａ〜５４ｄに収納物２０を出し入れ可能な開口が形成され、開口を内ケース２の引出し方向に向けた状態で、内ケース２は外ケース３の一側面に形成された内ケース挿入口４に対して摺動自在となっている。【選択図】        図２
2004292009.tif 000002
【特許請求の範囲】
【請求項１】
紙材を折り畳んで得られ、一側面に挿入口を形成した外ケースと、
紙材を折り畳んで得られ、前記挿入口に対して摺動自在な内ケースとからなる収納ケースであって、
前記内ケースは仕切部によって画成された複数の収納物保持部を有し、
前記収納物保持部は、収納物の一部分を支持可能な底部と、前記底部と対向する側に形成され前記収納物を出し入れ可能な開口を有し、
前記開口を前記内ケースの引出し方向に向けた状態で、前記内ケースは前記外ケースの前記挿入口に対して摺動自在となっている
ことを特徴とする収納ケース。
【請求項２】
前記内ケースにおいて、折られる箇所には罫線が形成され、前記罫線自体の幅の調整あるいは前記罫線どうしの間隔の調整によって前記収納物保持部内における前記収納物の保持力が設計されている
ことを特徴とする請求項１に記載の収納ケース。
【請求項３】
前記罫線は、その延在方向に沿って部分的に破断されている
ことを特徴とする請求項１に記載の収納ケース。
【請求項４】
前記底部から前記開口にかけて形成された相対向する１対の側部のそれぞれに、山折部と谷折部とが交互に繰り返された蛇腹状部が形成され、
前記山折部と前記谷折部との間の壁部によって前記仕切部が構成される
ことを特徴とする請求項１に記載の収納ケース。
【請求項５】
前記内ケースに、前記収納物保持部の前記開口を覆う蓋部が一体的に形成されている
ことを特徴とする請求項４に記載の収納ケース。
【請求項６】
前記外ケースに、前記内ケースの引出し方向と反対側に折り返された外ケース側係止片が設けられ、
前記内ケースに、前記外ケース側係止片が折り返されて形成された罫線に引っかかり可能な内ケース側係止片が設けられている
ことを特徴とする請求項４に記載の収納ケース。
【請求項７】
前記蛇腹状部において前記底部寄りの最下部を切り欠いている
ことを特徴とする請求項４に記載の収納ケース。
【請求項８】
前記収納物保持部に、一部を前記開口から突き出させてインデックス部材が収納されている
ことを特徴とする請求項４に記載の収納ケース。
【請求項９】
前記インデックス部材に、前記引出し方向に折り返された折返し片が設けられ、
前記折返し片が折り返されて形成された折曲部に、前記収納物保持部に収納された収納物が引っかけられて前記インデックス部材と共に前記収納物保持部から引出される
ことを特徴とする請求項８に記載の収納ケース。
【請求項１０】
前記仕切部は、相互に重ねられた複数の板状部であり、相対向する前記板状部間に前記収納物保持部が形成される
ことを特徴とする請求項１に記載の収納ケース。
【請求項１１】
前記内ケースに、前記収納物保持部の前記開口を覆う蓋部が一体的に形成されている
ことを特徴とする請求項１０に記載の収納ケース。
【請求項１２】
前記外ケースに、前記内ケースの引出し方向と反対側に折り返された外ケース側係止片が設けられ、
前記内ケースに、前記外ケース側係止片が折り返されて形成された折曲部に引っかかり可能な内ケース側係止片が設けられている
ことを特徴とする請求項１０に記載の収納ケース。
【請求項１３】
前記収納物保持部に、一部を前記開口から突き出させてインデックス部材が収納されている
ことを特徴とする請求項１０に記載の収納ケース。
【請求項１４】
前記インデックス部材に、前記引出し方向に折り返された折返し片が設けられ、
前記折返し片が折り返されて形成された折曲部に、前記収納物保持部に収納された収納物が引っかけられて前記インデックス部材と共に前記収納物保持部から引出される
ことを特徴とする請求項１３に記載の収納ケース。
【発明の詳細な説明】
【０００１】
【発明の属する技術分野】
本発明は、複数の収納物を収納可能な収納ケースに関し、特にディスク状記録媒体などの比較的薄肉の割に表面積の大きな収納物が相互に接触して傷などが付かないように収納することのできる収納ケースに関する。
【０００２】
【従来の技術】
従来より、環境保全などの観点から紙材を使用した収納ケースがある（例えば、特許文献１参照）。
【０００３】
【特許文献１】
特開２００２−２２５９６９号公報
【０００４】
この収納ケースは、収納物が載置されてこれを保持する内ケースと、この内ケースが摺動自在に収納される外ケースとから構成される。内ケース及び外ケースは、それぞれ１枚の紙材から組み立てられる。
【０００５】
【発明が解決しようとする課題】
上記構造の収納ケースにおいて、その内ケースに複数のディスク状記録媒体を収納する場合には相互に重ねて収納することになる。この場合、ディスク状記録媒体どうしが面接触することによる傷を防ぐため、不織布の袋などにディスク状記録媒体を１枚ずつ包んでから収納する必要がある。
【０００６】
しかし、ディスク状記録媒体を使用する際には一枚一枚袋から出さなければならず、また使用後に再び収納ケースに戻す際にも一枚一枚袋に入れなければならないというように取り扱いが面倒である。また、収納ケースの他に別途ディスク状記録媒体を包むための不織布からなる収納袋も合わせて用意する必要がありコスト高となってしまうおそれがある。
【０００７】
また、各々のディスク状記録媒体の識別は表面の表示を見て行われているのが通常であるところ、複数枚のディスク状記録媒体を単に重ねて収納しただけでは、各々のディスク状記録媒体が密接した状態で収納されていることから、要求するディスク状記録媒体を選択するのに、他のものと即座に区別して選んで取り出すことが困難である。
【０００８】
本発明は上述の問題に鑑みてなされ、その目的とするところは、収納物を傷から保護する収納状態を保持しつつ、収納物の選択的な取り出しをしやすいように工夫した収納ケースを提供することにある。
【０００９】
【課題を解決するための手段】
以上の課題を解決するにあたり、本発明の収納ケースでは、内ケースは仕切部によって画成された複数の収納物保持部を有し、収納物保持部は、収納物の一部分を支持可能な底部と、この底部と対向する側に形成され収納物を出し入れ可能な開口を有し、その開口を内ケースの引出し方向に向けた状態で、内ケースは外ケースの一側面に形成された挿入口に対して摺動自在となっていることを特徴としている。
【００１０】
このような構成のため、複数の収納物は仕切部によって隔てられて収納され、収納物どうしの接触面積を低減させることができ、収納物どうしの接触に起因する収納物の損傷を防ぐことができる。更に、収納物保持部の開口が内ケースの引出し方向に向いていることで、内ケースを外ケースから完全に引出さなくても収納物保持部の開口を通して収納物の出し入れを行うことができ、利便性を高くすることができる。
【００１１】
内ケース及び外ケースはそれぞれ紙材を折り畳んで得られる。ここで、紙材とは、主材が紙であることを要旨とし、植物繊維やその他の繊維から製造されるものに限らず、合成高分子物質を用いて製造した合成紙であってもよく、また新聞紙や古紙などをリサイクルして得られる再生紙を利用したもの、更には、段ボール、表面が不織布となっているもの、表面に静電気防止剤が塗布されているものであってもよい。
【００１２】
また、本発明の収納ケースでは、収納物保持部の底部から開口にかけて形成された相対向する１対の側部それぞれに、山折部と谷折部とが交互に繰り返された蛇腹状部が形成され、これら山折部と谷折部との間の壁部によって、複数の収納物保持部を画成する仕切部が構成されるようにしたことを特徴としている。
【００１３】
これにより、内ケースが外ケースから引出されると、外ケース内への収納時に押し縮められていた蛇腹状部が反発力によって拡がり、よって、収納物保持部間の間隔も拡がって所望の収納物を選択的に取り出しやすくなる。
【００１４】
また、本発明では、その蛇腹状部において底部寄りの最下部を切り欠いたことを特徴としている。
蛇腹状部が押し縮められたときに壁部間で挟まれることによる圧迫力が収納物に作用しやすい蛇腹状部の最下部を切り欠くことで、圧迫力の原因である壁部をなくして、収納物に無理な力がかからないようにする。
【００１５】
また、折られる箇所に罫線を形成すれば紙材の折り曲げを容易に行える。ここで、罫線とは、木材や金属などからなる押し刃を紙材に押し付けて形成される溝である。そして、罫線自体の幅を調整、あるいは互いに対向して形成されている罫線どうしの間隔を調整することによって、収納物保持部の内容積を調整でき、収納物にかかる圧迫力や、収納物の挿入・引出し易さなどを考慮した所望の保持力を有する収納物保持部の設計が可能となる。
【００１６】
また、罫線を、その延在方向に沿って部分的に破断する（例えば罫線の一部分に連続的なスリットを形成したり、あるいは罫線全体を破線と連続部との繰り返しで構成されるミシン目状とする）ことにより、罫線の反発力を抑えることができ、収納物への圧迫力を低減できる。
【００１７】
また、本発明の収納ケースでは、相互に重ねられた複数の板状部で仕切部が構成され、相対向する板状部間に収納物保持部が形成されることを特徴としている。
【００１８】
このような構成では、各収納物保持部に収納される収納物は、相互に重ねられている板状部でもって互いに隔離されるので、収納物どうしを全く接触させずに収納することができる。
【００１９】
また、本発明の収納ケースでは、内ケースに、収納物保持部の開口を覆う蓋部が一体的に形成されていることを特徴としている。
【００２０】
その蓋部で収納物保持部の開口を覆って内ケースを外ケース内に収納すれば、収納ケースの保管中などに収納物保持部内にゴミやほこりなどが侵入することを防げ、また収納ケースを持ち運ぶ際に収納物保持部の開口から収納物が飛び出すことを防げる。
【００２１】
また、本発明の収納ケースでは、外ケースに内ケースの引出し方向と反対側に折り返された外ケース側係止片が設けられ、その外ケース側係止片が折り返されて形成された折曲部に引っかかり可能な内ケース側係止片が内ケースに設けられていることを特徴としている。
【００２２】
これにより、内ケースと外ケースのどちらか一方のみを引き出した状態で把持したとしても他方は落下してしまうことはなく、また互いに分離されてしまうことによるどちらか一方の紛失も防げる。
【００２３】
また、本発明の収納ケースでは、収納物保持部に、一部を収納物保持部の開口から突き出させてインデックス部材が収納されている。
【００２４】
これにより、収納物保持部開口から突き出たインデックス部材の一部に、その収納物保持部に収納される収納物に関する情報等を印刷などで示すことができ、どの収納物保持部にどのような収納物が収納されているかの識別が容易になる。
【００２５】
また、本発明の収納ケースでは、上記インデックス部材に、内ケース引出し方向に折り返された折返し片が設けられ、その折返し片が折り返されて形成された折曲部に収納物保持部内の収納物が引っかけられてインデックス部材と共に収納物保持部から引出される。
【００２６】
これにより、開口から収納物保持部内に例えば指を入れて収納物を取り出さなくてもよくなり、収納物保持部や収納物に無理な力を作用させて収納物の反りが発生してしまうことを防げる。
【００２７】
【発明の実施の形態】
以下、本発明の各実施の形態について図面を参照して説明する。なお、以下の実施の形態では、収納物としてはディスク状記録媒体を一例として挙げて説明する。
【００２８】
（第１の実施の形態）
図３は第１の実施の形態による収納ケース１の平面図を示し、図４はその裏面図を示す。収納ケース１は、収納物を保持する収納物保持部（以下、単に保持部という）を形成した内ケース２と、この内ケース２が摺動自在に収納される外ケース３とからなり、外ケース３の一側面に形成された挿入口４から内ケース２が外ケース３内に挿入されている。
【００２９】
図１は、同収納ケース１において外ケース３から内ケース２を引き出した状態を示す斜視図である。図５は内ケース２のみの斜視図を示す。
【００３０】
内ケース２及び外ケース３は共にそれぞれ所定の形状に打ち抜かれた紙材を折り畳んで得られる。
【００３１】
先ず、外ケース３について説明する。外ケース３は、図９に示す形状に紙材を打ち抜いて得られるブランク５（以下、外ケースブランクという）を折り畳んだ後、所定の箇所を貼り合わせて得られる。
【００３２】
（外ケースブランク）
外ケースブランク５は、主として、上面パネル６と、底面パネル７と、２つの側面パネル８ａ、８ｂと、背板パネル９と、外ケース側係止片（以下、単に係止片という）１０とが一体的に接続されて構成される。上面パネル６、底面パネル７、側面パネル８ａ、８ｂ、背板パネル９は矩形状を呈し、係止片１０は略台形状を呈している。
【００３３】
２つの側面パネル８ａ、８ｂは、上面パネル６の平行に対向する２辺にそれぞれ接続されている。上面パネル６の残りの２辺のうちその一方の辺に背板パネル９が接続され、更に背板パネル９には底面パネル７が接続されている。上面パネル６において、背板パネル９と対向する側には係止片１０が接続されている。
【００３４】
各々の側面パネル８ａ、８ｂには、外ケースブランク５を組み立てたとき、背板パネル９に重ね合わされる折込フラップ１１ａ、１１ｂと、底面パネル７に接着されるのりしろ１２ａ、１２ｂが接続されている。
【００３５】
図において、一点鎖線は谷折りされる罫線を示し、外ケースブランク５は図１０に示すように、各罫線に沿って谷折りされる。なお、外ケースブランク５には示されていないが、二点鎖線は山折りされる罫線を示し、以下の説明中、これら線種の区別は共通して用いる。
【００３６】
底面パネル７の端縁には切欠き１３が形成されている。また、上面パネル６と係止片１０との境界部にはその境界に位置する罫線を挟むようにして円形孔１４が形成されている。切欠き１３と円形孔１４は、外ケースブランク５を組み立てたときに互いに向き合い、内ケース２を外ケース３から引き出すための指掛部を構成する。
【００３７】
なお、のりしろ１２ａに切欠き１５を形成しているのは、のりしろ１２ａが底面パネル７に接着されるときに、底面パネル７に形成された切欠き１３にのりしろ１２ａの一部がかからないようにするためである。
【００３８】
（外ケースブランクの組み立て）
以上のように形成された外ケースブランク５は、各罫線を図１０に示すようにして折曲げ、更にのりしろ１２ａ、１２ｂを底面パネル７に接着させ、折込フラップ１１ａ、１１ｂを背板パネル９に重ね合わせることによって、一側面が開口して挿入口４が形成された扁平な箱体に組み立てられる（図３、４参照）。
【００３９】
係止片１０は、上面パネル６との境界の罫線に沿って上面パネル６側に折曲げられただけで、上面パネル６に対して接着はされていない。
【００４０】
（内ケースブランク）
次に、内ケース２について説明する。内ケース２は、図６に示す形状に紙材を打ち抜いて得られるブランク１６（以下、内ケースブランクという）を折り畳んだ後、所定の箇所を係合させて得られる。
【００４１】
内ケースブランク１６は、前板部１７と、背板部１８と、２つの張出し部２１、２２と、蓋部２３と、覆い部２４と、前板補助部２５と、挿入側端板部２６と、２つの内ケース側係止片（以下、単に係止片という）２７ａ、２７ｂと、折返し部２８とが一体的に接続されて構成される。
【００４２】
前板部１７と背板部１８は罫線２９を介して接続されている。その罫線２９に直交し、前板部１７及び背板部１８の側縁を構成する２つの罫線３０、３１を介して、２つの張出し部２１、２２が前板部１７及び背板部１８に接続されている。各々の張出し部２１、２２は罫線３０、３１をそれぞれ直径とする半円状を呈している。
【００４３】
張出し部２１には、罫線２９と罫線３０との交点から放射状に延びる５本の罫線３２ａ〜３２ｅが形成されている。５本の罫線３２ａ〜３２ｅは、山折りと谷折りとが交互に繰り返された並びとなっている。具体的には、罫線３２ａは山折部となり、罫線３２ｂは谷折部となり、罫線３２ｃは山折部となり、罫線３２ｄは谷折部となり、罫線３２ｅは山折部となる。
【００４４】
同様に、他方の張出し部２２にも、罫線２９と罫線３１との交点から放射状に延びる５本の罫線３３ａ〜３３ｅが形成されている。５本の罫線３３ａ〜３３ｅは、山折りと谷折りとが交互に繰り返された並びとなっている。具体的には、罫線３３ａは山折部となり、罫線３３ｂは谷折部となり、罫線３３ｃは山折部となり、罫線３３ｄは谷折部となり、罫線３３ｅは山折部となる。
【００４５】
前板部１７において、それぞれの張出し部２１、２２寄りの箇所にスリット３４が形成されている。スリット３４は罫線３０、３１と平行に延びその両端が前板部１７の内側に向いて傾斜している。更に、スリット３４の中央には、このスリット３４に接続するスリット３５が形成されている。
【００４６】
同様に、背板部１８においても、それぞれの張出し部２１、２２寄りの箇所にスリット３６が形成されている。スリット３６は罫線３０、３１と平行に延びその両端が背板部１８の内側に向いて傾斜している。更に、スリット３６の中央には、このスリット３６に接続するスリット３７が形成されている。
【００４７】
背板部１８において、前板部１７と対向する側には罫線３８を介して蓋部２３が接続され、更に蓋部２３には罫線４０を介して覆い部２４が接続されている。
【００４８】
背板部１８において、蓋部２３寄りの箇所には指掛片３９が形成されている。指掛片３９は楕円状の切込みによってその一部分３９ａでのみ背板部１８と接続している。
【００４９】
前板部１７において、背板部１８と対向する側には罫線４０を介して前板補助部２５が接続されている。また、罫線４０から、前板補助部２５と前板部１７側に向けてそれぞれＵ字状の切欠き４１、４２が形成されている。
【００５０】
前板補助部２５の側縁には矩形状の差込片４３が形成されている。後述するように、罫線４０を山折りして前板補助部２５と前板部１７とを重ね合わせた際に、差込片４３が前板部１７に形成されたスリット３４に重なるようになっている。
【００５１】
前板補助部２５において、前板部１７に対向する側には罫線４４を介して挿入側端板部２６が接続され、更に挿入側端板部２６には罫線４５を介して折返し部２８が接続されている。
【００５２】
挿入側端板部２６の相対向する短辺側縁部には、罫線４６、４７を介して係止片２７ａ、２７ｂが接続されている。一方の係止片２７ａは矩形状を呈し、他方の係止片２７ｂは、係止片２７ａと同形状のものを一部切欠いて先細りにした形状を呈している。
【００５３】
折返し部２８の先端側の側縁には矩形状の差込片４８が形成されている。後述するように、折返し部２８の裏面を背板部１８の裏面に重ね合わせた際に、差込片４８が背板部１８に形成されたスリット３６に重なるようになっている。
【００５４】
（内ケースブランクの組み立て）
以上のように形成された内ケースブランク１６は、各罫線を図７に示すようにして折曲げて組み立てられる。以下、その組み立てについて具体的に説明していく。
【００５５】
図７に示すように、前板部１７と背板部１８との境界の罫線２９が折曲げられることによって、前板部１７と背板部１８はＶ形状に対向する。更に、罫線３０、３２ａ〜３２ｅが交互に谷折りと山折りを繰り返すことによって、張出し部２１は蛇腹状部５０とされる。他方の張出し部２２についても、同様に、罫線３１、３３ａ〜３３ｅが交互に谷折りと山折りを繰り返すことによって蛇腹状部５１とされる。これら１対の蛇腹状部５０、５１は内ケース２（図５参照）の相対向する側部を形成する。
【００５６】
蛇腹状部５０、５１は具体的には、罫線３０、３２ａを母線とする扇形状の壁部５２ａと、罫線３２ａ、３２ｂを母線とする扇形状の壁部５２ｂと、罫線３２ｂ、３２ｃを母線とする扇形状の壁部５２ｃと、罫線３２ｃ、３２ｄを母線とする扇形状の壁部５２ｄと、罫線３２ｄ、３２ｅを母線とする扇形状の壁部５２ｅと、罫線３２ｅ、３０を母線とする扇形状の壁部５２ｆと、罫線３１、３３ａを母線とする扇形状の壁部５３ａと、罫線３３ａ、３３ｂを母線とする扇形状の壁部５３ｂと、罫線３３ｂ、３３ｃを母線とする扇形状の壁部５３ｃと、罫線３３ｃ、３３ｄを母線とする扇形状の壁部５３ｄと、罫線３３ｄ、３３ｅを母線とする扇形状の壁部５３ｅと、罫線３３ｅ、３１を母線とする扇形状の壁部５３ｆとを有している。
【００５７】
これら壁部５２ａ〜５２ｆ、５３ａ〜５３ｆは前板部１７及び背板部１８の内側に入り込んでおり、これら壁部５２ａ〜５２ｆ、５３ａ〜５３ｆによって図２に示すように、複数の保持部５４ａ〜５４ｄを画成する仕切部が構成される。
【００５８】
なお、無駄な角部をなくして端縁が弧を描いて張り出す張出し部２１、２２から蛇腹状部５０、５１を得ることで、内ケースブランク１６に必要な紙材の節約が図れる。
【００５９】
前板部１７と背板部１８との境界の折曲部２９は、各保持部５４ａ〜５４ｄに収納される収納物の一部分を支持する底部として機能する。
【００６０】
前板部１７と前板補助部２５との境界の罫線４０が山折りされることによって、前板部１７裏面と前板補助部２５裏面とが、それぞれに形成されたＵ字切欠き４２、４１を一致させて合わせられる。そして、図５に示すように、前板補助部２５に形成された差込片４３が、前板部１７に形成されたスリット３４に差し込まれることによって、前板補助部２５は前板部１７に密着される。このとき、スリット３４の中央に接続して形成されたスリット３５（図６参照）によって、スリット３４は拡げやすくなり差込片４３の差し込みを容易に行える。
【００６１】
また、挿入側端板部２６と折返し部２８との境界の罫線４５が山折りされることによって、折返し部２８は背板部１８裏面側に折り返される。そして、図８に示すように、折返し部２８に形成された差込片４８が背板部１８に形成されたスリット３６に差し込まれることによって、折返し部２８は背板部１８に取り付けられ、内ケース２がばらけるのを防いでいる。この場合も、スリット３６の中央に接続して形成されたスリット３７（図６参照）によって、スリット３６は拡げやすくなり差込片４８の差し込みを容易に行える。
【００６２】
（内ケースの外ケースへの収納）
以上のように組み立てられた内ケース２（図５参照）は、その挿入側端板部２６の側から、外ケース３の一側面に形成された挿入口４に挿入されて外ケース３内に収納される。このとき、内ケース２の挿入側端板部２６に接続して形成された係止片２７ａ、２７ｂは、挿入側端板部２６側に折曲げた状態で挿入口４に挿入される。
【００６３】
内ケース２の外ケース３への収納時には、罫線３８、４０が折曲げられることによって、蓋部２３が各保持部５４ａ〜５４ｄの開口を覆うと共に、覆い部２４が挿入口４に差し込まれて前板補助部２５に被さる。これによって、図３、４に示すように、内ケース２が外ケース３に収納された状態で、各保持部５４ａ〜５４ｄの開口は露出せず、収納物の飛び出しを防げると共に収納物へのゴミやほこりの付着も防げる。
【００６４】
各保持部５４ａ〜５４ｄに収納された収納物は、壁部５２ａ〜５２ｆ、５３ａ〜５３ｆによって他の収納物との密接した接触を避けることができ、収納物相互の摩擦などで収納物に傷が付くことを防げる。これにより、不織布の袋などで収納物を１枚１枚包む必要もなくなり、コストの低減や、使用の度に収納物を袋に出し入れするといった面倒さも解消される。
【００６５】
なお、外ケース３には図３に示されるようにその表面に商品名やその他収納物に関する情報５５などが印刷され、図４に示されるように裏面には点字５６が印刷されている。もちろん、表面に点字を、裏面に商品名などを印刷してもよい。これらは、例えばスクリーン印刷法や発泡インキの使用などによって、印字が外ケース３の面上から盛り上がるようにしている。その他、暗闇で発光する蓄光インクや、香料を含有した香り付きインクなどを用いて印刷を施して商品としての付加価値を高めるようにしてもよい。
【００６６】
（内ケースの外ケースからの引出し）
外ケース３から内ケース２を引き出すには、外ケース３の切欠き１３から露出している内ケース２の指掛片３９（図４参照）を少し押し込んで例えば人差し指を掛けると共に、外ケース３に形成された切欠き１４から露出している内ケース２の覆い部２４（図３参照）に例えば親指を掛けて内ケース２を把持し、内ケース２を外ケース３から引き出す。内ケース２の指掛部３９を完全にくり貫かれた開口とせず、内部に押し込み可能な指掛片としたことで内部へのゴミやほこりの侵入を防ぐことができる。
【００６７】
また、図１に示すように、内ケース２の保持部５４ａ〜５４ｄの全領域が外ケース３から引き出された状態では、内ケース２の挿入側端板部２６に形成された係止片２７ａ、２７ｂと、外ケース３の内方に折り返されている係止片１０とが係合して、内ケース２のそれ以上の引き出しができないようになっている。これにより、内ケース２と外ケース３との分離を防いで内ケース２と外ケース３とを１ピースの製品として取り扱うことができ、一方のケースの脱落を防いで破損や紛失を防止することができる。
【００６８】
内ケース２が外ケース３から引き出されると、外ケース３内に差し込まれていた覆い部２４も外れ、覆い部２４及び蓋部２３によって覆われていた保持部５４ａ〜５４ｄの開口は露出される。
【００６９】
内ケース２の蛇腹状部５０、５１は反発力を有しているため、その蛇腹状部５０、５１を圧縮すると（各保持部５４ａ〜５４ｄ間相互の距離を縮めると）、その圧縮に抗して拡がろうとする復元力が生じる。外ケース３への収納時には、その蛇腹状部５０、５１を圧縮させて内ケース２は収納されている。したがって、内ケース２を外ケース３から引き出すと、蛇腹状部５０、５１はその拡がりを規制していた外ケース３から解放され拡がる。
【００７０】
これにより、各保持部５４ａ〜５４ｄ間の距離が拡がり、各保持部５４ａ〜５４ｄに保持されている収納物を選択的に容易に取り出すことができる。また、前板部１７及び前板補助部２５に位置を一致させて形成されたＵ字切欠き４２、４１によって、図２に示すように収納物であるディスク状記録媒体２０の中心孔２０ａが露出し、その中心孔２０ａに指を掛けることができ、ディスク状記録媒体２０の情報記録面には指を触れずにディスク状記録媒体２０を取り出すことができる。
【００７１】
また、内ケース２の前板補助部２５と挿入側端板部２６との境界に形成された罫線４４は、前板補助部２５と挿入側端板部２６との境界に谷部を形成するように折れ曲がり可能とされている。これにより、図１に示す、内ケース２が外ケース３から引き出された状態にて、前板補助部２５及びこの前板補助部２５に重なっている前板部１７の外ケース３の上面パネル６側への傾動を許容し、蛇腹状部５０、５１を拡がりやすくする。
【００７２】
（第２の実施の形態）
次に、本発明の第２の実施の形態について説明する。なお、上記第１の実施の形態と同じ構成部分については同一の符号を付し、その詳細な説明は省略する。
【００７３】
図１２は第３の実施の形態による収納ケース９０の斜視図であり、外ケース３から内ケース７０を引き出した状態を示す。本実施の形態においても、上記第１の実施の形態と同様、収納ケース９０は、収納物を保持する保持部を形成した内ケース７０と、この内ケース７０が摺動自在に収納される外ケース３とからなり、外ケース３の一側面に形成された挿入口４から内ケース７０が外ケース３内に挿入されている。
【００７４】
外ケース３は第１の実施の形態と同じ構成であるのでその説明は省略し、内ケース７０について説明する。内ケース７０は、図１５に示す形状に紙材を打ち抜いて得られる内ケースブランク６０を折り畳んだ後、所定の箇所を貼り合わせて得られる。
【００７５】
（内ケースブランク）
内ケースブランク６０は、前板部１７’と、背板部１８’と、２つの張出し部６１、６２と、６つの係止片６５ａ〜６５ｃ、６６ａ〜６６ｃと、蓋部２３と、覆い部２４と、前板補助部２５’と、挿入側端板部２６と、２つの係止片２７ａ、２７ｂと、折返し部２８’とが一体的に接続されて構成される。
【００７６】
前板部１７’と背板部１８’は罫線２９を介して接続されている。その罫線２９に直交し、前板部１７’及び背板部１８’の側縁を構成する２つの罫線３０、３１を介して、２つの張出し部６１、６２が前板部１７’及び背板部１８’に接続されている。
【００７７】
張出し部６１には、罫線２９と罫線３０との交点から放射状に延びる５本の罫線３２ａ〜３２ｅが形成されている。５本の罫線３２ａ〜３２ｅは、山折りと谷折りとが交互に繰り返された並びとなっている。具体的には、罫線３２ａが山折部、罫線３２ｂが谷折部、罫線３２ｃが山折部、罫線３２ｄが谷折部、罫線３２ｅが山折部となる。
【００７８】
同様に、他方の張出し部６２にも、罫線２９と罫線３１との交点から放射状に延びる５本の罫線３３ａ〜３３ｅが形成されている。５本の罫線３３ａ〜３３ｅは、山折りと谷折りとが交互に繰り返された並びとなっている。具体的には、罫線３３ａが山折部、罫線３３ｂが谷折部、罫線３３ｃが山折部、罫線３３ｄが谷折部、罫線３３ｅが山折部となる。
【００７９】
張出し部６１において、罫線３０、３２ａを母線とする略扇形状の壁部６３ａの端縁には罫線６７ａを介して台形状の係止片６５ａが接続されている。罫線３２ｂ、３２ｃを母線とする略扇形状の壁部６３ｃの端縁には罫線６７ｂを介して台形状の係止片６５ｂが接続されている。罫線３２ｄ、３２ｅを母線とする略扇形状の壁部６３ｅの端縁には罫線６７ｃを介して台形状の係止片６５ｃが接続されている。
【００８０】
張出し部６２において、罫線３１、３３ａを母線とする略扇形状の壁部６４ａの端縁には罫線６８ａを介して台形状の係止片６６ａが接続されている。罫線３３ｂ、３３ｃを母線とする略扇形状の壁部６４ｃの端縁には罫線６８ｂを介して台形状の係止片６６ｂが接続されている。罫線３３ｄ、３３ｅを母線とする略扇形状の壁部６４ｅの端縁には罫線６８ｃを介して台形状の係止片６６ｃが接続されている。
【００８１】
背板部１８’において、前板部１７’と対向する側には罫線３８を介して蓋部２３が接続され、更に蓋部２３には罫線４０を介して覆い部２４が接続されている。
【００８２】
背板部１８’において、蓋部２３寄りの箇所には指掛片３９が形成されている。指掛片３９は楕円状の切込みによってその一部分３９ａでのみ背板部１８’と接続している。
【００８３】
前板部１７’において、背板部１８’と対向する側には罫線４０を介して前板補助部２５’が接続されている。また、罫線４０から、前板補助部２５’と前板部１７’側に向けてそれぞれＵ字状の切欠き４１、４２が形成されている。
【００８４】
前板補助部２５’において、前板部１７’に対向する側には罫線４４を介して挿入側端板部２６が接続され、更に挿入側端板部２６には罫線４５を介して折返し部２８’が接続されている。
【００８５】
挿入側端板部２６の相対向する短辺側縁部には、罫線４６、４７を介して係止片２７ａ、２７ｂが接続されている。一方の係止片２７ａは矩形状を呈し、他方の係止片２７ｂは、係止片２７ａと同形状のものを一部切欠いて先細りにした形状を呈している。
【００８６】
（内ケースブランクの組み立て）
以上のように形成された内ケースブランク６０は、各罫線を図１６に示すようにして折曲げて組み立てられる。以下、その組み立てについて具体的に説明していく。
【００８７】
前板部１７’と背板部１８’との境界の罫線２９が折曲げられることによって、前板部１７’と背板部１８’はＶ形状に対向する。更に、罫線３０、３２ａ〜３２ｅが交互に谷折りと山折りを繰り返すことによって、張出し部６１は蛇腹状部８２とされる。このとき、係止片６５ａ、６５ｂ、６５ｃは、それぞれ壁部６３ａ、６３ｃ、６３ｅの内側に折り曲げられる。
【００８８】
他方の張出し部６２についても、同様に、罫線３１、３３ａ〜３３ｅが交互に谷折りと山折りを繰り返すことによって蛇腹状部８３とされる。これら１対の蛇腹状部８２、８３は内ケース７０の相対向する側部を形成する。係止片６６ａ、６６ｂ、６６ｃは、それぞれ壁部６４ａ、６４ｃ、６４ｅの内側に折り曲げられる。
【００８９】
蛇腹状部８２、８３は具体的には、罫線３０、３２ａを母線とする略扇形状の壁部６３ａと、罫線３２ａ、３２ｂを母線とする扇形状の壁部６３ｂと、罫線３２ｂ、３２ｃを母線とする扇形状の壁部６３ｃと、罫線３２ｃ、３２ｄを母線とする扇形状の壁部６３ｄと、罫線３２ｄ、３２ｅを母線とする扇形状の壁部６３ｅと、罫線３２ｅ、３０を母線とする扇形状の壁部６３ｆと、罫線３１、３３ａを母線とする扇形状の壁部６４ａと、罫線３３ａ、３３ｂを母線とする扇形状の壁部６４ｂと、罫線３３ｂ、３３ｃを母線とする扇形状の壁部６４ｃと、罫線３３ｃ、３３ｄを母線とする扇形状の壁部６４ｄと、罫線３３ｄ、３３ｅを母線とする扇形状の壁部６４ｅと、罫線３３ｅ、３１を母線とする扇形状の壁部６４ｆとを有している。
【００９０】
これら壁部６３ａ〜６３ｆ、６４ａ〜６４ｆは前板部１７’及び背板部１８’の内側に入り込んでおり、これら壁部６３ａ〜６３ｆ、６４ａ〜６４ｆによって図１２に示すように、複数の保持部８４ａ〜８４ｄを画成する仕切部が構成される。
【００９１】
前板部１７’と背板部１８’との境界の罫線２９は、各保持部８４ａ〜８４ｄに収納される収納物の一部分を支持する底部として機能する。
【００９２】
前板部１７’と前板補助部２５’との境界の罫線４０が山折りされると、前板部１７’裏面と前板補助部２５’裏面とが、それぞれに形成されたＵ字切欠き４２、４１を一致させて合わせられる。
【００９３】
挿入側端板部２６と折返し部２８’との境界の罫線４５が山折りされると、折返し部２８’は背板部１８’裏面側に折り返される。そして、図１１に示すように、折返し部２８’が背板部１８’に接着されることによって、折返し部２８’は背板部１８’に取り付けられ、内ケース７０がばらけるのを防ぐ。
【００９４】
（インデックス部材）
各保持部８４ａ〜８４ｄには、図１７にその平面図が示されるカード状のインデックス部材７１ａ〜７１ｃが挿入される。各インデックス部材７１ａ〜７１ｃは、収納物支持部７５ａ〜７５ｃと、この収納物支持部７５ａ〜７５ｃの上縁部に接続されたタブ７２ａ〜７２ｃと、収納物支持部７５ａ〜７５ｃの下縁部に罫線７４ａ〜７４ｃを介して接続された係止片７３ａ〜７３ｃと、各収納物支持部７５ａ〜７５ｃの左右の側縁に一対ずつ形成された折返し片７６〜７８とから構成される。
【００９５】
インデックス部材７１ｃは、図１４に示すように、折返し片７８と係止片７３ｃとをそれぞれ収納物支持部７５ｃを挟んで反対側に位置するように折り曲げた状態で、各保持部８４ａ〜８４ｄの何れかに挿入される。他のインデックス部材７１ａ、７１ｂについても同様である。
【００９６】
そして、各インデックス部材７１ａ〜７１ｃは各係止片７３ａ〜７３ｃを、各保持部８４ａ〜８４ｄの内側に折り返された係止片６５ａ〜６５ｃ、６６ａ〜６６ｃに対向させるようにして各保持部８４ａ〜８４ｄ内に収納される。各インデックス部材７１ａ〜７１ｃの各収納物支持部７５ａ〜７５ｃは保持部８４ａ〜８４ｄ内に完全に収まり、収納物支持部７５ａ〜７５ｃ上縁に接続されたタブ７２ａ〜７２ｃは保持部８４ａ〜８４ｄから飛び出した状態となる。
【００９７】
（内ケースの外ケースへの収納）
以上のように組み立てられた内ケース７０は、その挿入側端板部２６の側から、外ケース３の一側面に形成された挿入口４に挿入されて外ケース３内に収納される。このとき、挿入側端板部２６に接続して形成された係止片２７ａ、２７ｂは、挿入側端板部２６側に折曲げた状態で挿入口４に挿入される。
【００９８】
内ケース７０の外ケース３への収納時には、罫線３８、４０が折曲げられることによって、蓋部２３が各保持部８４ａ〜８４ｄの開口を覆うと共に、覆い部２４が挿入口４に差し込まれて前板補助部２５’に被さる。これによって、内ケース７０が外ケース３に収納された状態で、各保持部８４ａ〜８４ｄの開口は露出せず、収納物の飛び出しを防げると共に収納物へのゴミやほこりの付着も防げる。
【００９９】
収納物であるディスク状記録媒体は、その端をインデックス部材７１ａ〜７１ｃの折返し片７６〜７８が折り返されることで形成された谷部に支持させた状態で各保持部８４ａ〜８４ｄ内に収納されている。
【０１００】
各保持部８４ａ〜８４ｄに収納された収納物は、壁部６３ａ〜６３ｆ、６４ａ〜６４ｆによって他の収納物との密接した接触を避けることができ、収納物相互の摩擦などで収納物に傷が付くことを防げる。これにより、不織布の袋などで収納物を１枚１枚包む必要もなくなり、コストの低減や、使用の度に収納物を袋に出し入れするといった面倒さも解消される。
【０１０１】
（内ケースの外ケースからの引出し）
外ケース３から内ケース７０を引き出すには、第１の実施の形態と同様に、外ケース３に形成された切欠き１３から露出している内ケース７０の指掛片３９を少し押し込んで例えば人差し指を掛けると共に、外ケース３に形成された切欠き１４から露出している内ケース７０の覆い部２４に例えば親指を掛けて内ケース７０を把持し、内ケース７０を外ケース３から引き出す。
【０１０２】
このとき、図１２に示すように、内ケース７０の保持部８４ａ〜８４ｄの全領域が外ケース３から引き出された状態で、内ケース７０の挿入側端板部２６に形成された係止片２７ａ、２７ｂと、外ケース３の内方に折り返されている係止片１０とが係合して、内ケース７０のそれ以上の引き出しができないようになっている。これにより、内ケース７０と外ケース３との分離を防いで内ケース７０と外ケース３とを１ピースの製品として取り扱うことができ、一方のケースの脱落を防いで破損や紛失を防止することができる。
【０１０３】
内ケース７０が外ケース３から引き出されると、外ケース３内に差し込まれていた覆い部２４も外れ、覆い部２４及び蓋部２３によって覆われていた保持部８４ａ〜８４ｄの開口を露出させることができる。
【０１０４】
内ケース７０の蛇腹状部８２、８３は反発力を有しているため、その蛇腹状部８２、８３を圧縮すると（各保持部８４ａ〜８４ｄ間の距離を縮めると）、その圧縮に抗して拡がろうとする復元力が生じる。外ケース３への収納時には、その蛇腹状部８２、８３を圧縮させて内ケース７０は収納されている。したがって、内ケース７０を外ケース３から引き出すと、蛇腹状部８２、８３はその拡がりを規制していた外ケース３から解放され拡がる。
【０１０５】
そして、インデックス部材７１ｃのタブ７２ｃを指でつまんでインデックス部材７１ｃを引き出すことで、図１３に示すように、インデックス部材７１ｃの折返し片７８が折り曲げられた谷部に収納物２０の端が引っかけられて収納物２０もインデックス部材７１ｃと一緒に引き出される。他のインデックス部材７１ａ、７１ｂについても同様である。
【０１０６】
タブ７２ａ〜７２ｃに収納物２０を識別する情報などを印しておけば、各保持部８４ａ〜８４ｄに収納された複数の収納物の中から所望の収納物のみを選択的に容易に取り出すことができる。そして、インデックス部材７１ａ〜７１ｃと共に保持部８４ａ〜８４ｄから引き出された収納物であるディスク状記録媒体２０はその中心孔２０ａを露出させるので、その中心孔２０ａに指を掛けることができ、ディスク状記録媒体２０の情報記録面には指を触れずにディスク状記録媒体２０を取り出すことができる。
【０１０７】
また、このとき、インデックス部材７１ａ〜７１ｃの下縁で折り返された係止片７３ａ〜７３ｃと、保持部８４ａ〜８４ｄ上縁で折り返されている係止片６５ａ〜６５ｃ、６６ａ〜６６ｃとが係合して、インデックス部材７１ａ〜７１ｃのそれ以上の引き出しができないようになっている。これにより、インデックス部材７１ａ〜７１ｃの紛失などを防げる。更に、インデックス部材７１ａ〜７１ｃを強く引いてしまうことで収納物が勢い余って飛び出して落下してしまうのも防げる。
【０１０８】
以上のように本実施の形態では、内ケース７０が外ケース３から引出されると各保持部８４ａ〜８４ｄ間の距離が拡がったうえで、インデックス部材７１ａ〜７１ｃを各保持部８４ａ〜８４ｄから引出すので複数の収納物のなかから取り出したいものを容易に識別してそれだけを選択的に取り出すことができる。
【０１０９】
（第３の実施の形態）
次に、本発明の第３の実施の形態について説明する。なお、上記第１の実施の形態と同じ構成部分については同一の符号を付し、その詳細な説明は省略する。
【０１１０】
図２２は第３の実施の形態による収納ケース１１０の平面図を示す。収納ケース１１０は、収納物を保持する保持部を形成した内ケース１１１と、この内ケース１１１が摺動自在に収納される外ケース３とからなり、外ケース３の一側面に形成された挿入口４から内ケース１１１が外ケース３内に挿入されている。
【０１１１】
図２０は、同収納ケース１１０において外ケース３から内ケース１１１を引き出した状態を示す斜視図である。図１９は、図２０においてインデックス部材１１２ａ〜１１２ｄを取り外した状態を示す。
【０１１２】
内ケース１１１、外ケース３、及び内ケース１１１内に収納される各インデックス部材１１２ａ〜１１２ｄは、何れもそれぞれ所定の形状に打ち抜かれた紙材を折り畳んで得られる。
【０１１３】
先ず、外ケース３について説明する。外ケース３は、上記第１の実施の形態における外ケース３と同じ構成であり、その詳細な説明は省略する。
【０１１４】
すなわち、外ケース３は、図９に示す形状に紙材を打ち抜いて得られる外ケースブランク５を折り畳んだ後、所定の箇所を貼り合わせて、一側面が開口して内挿入口４が形成された扁平な箱体に組み立てられる。
【０１１５】
（内ケースブランク）
次に、内ケース１１１について説明する。内ケース１１１は、図２３に示す形状に紙材を打ち抜いて得られる内ケースブランク１１３を折り畳んだ後、所定の箇所を貼り合わせて得られる。
【０１１６】
内ケースブランク１１３は、主として、第１仕切板部１１４と、第２仕切板部１１５と、第３仕切板部１１６と、第４仕切板部１１７と、前板部１１８と、背板部１１９と、第１側板部１２１と、第２側板部１２２と、底板部１２３と、蓋部１２０と、覆い部１２４と、前板覆い部１２５とが一体的に接続されて構成される。
【０１１７】
第１〜第４仕切板部１１４〜１１７、前板部１１８及び背板部１１９は、それぞれ同形状の正方形状を呈し、一方向に延在して互いに接続されている。また、第１〜第４仕切板部１１４〜１１７、前板部１１８及び背板部１１９の各辺は、収納物であるディスク状記録媒体の直径よりもわずかに大きい。以下、具体的に説明する。
【０１１８】
第１仕切板部１１４は罫線１２６を介して第２仕切板部１１５と接続されている。第２仕切板部１１５において第１仕切板部１１４に対向する側には罫線１２７を介して第３仕切板部１１６が接続されている。第３仕切板部１１６において第２仕切板部１１５と対向する側には罫線１２８を介して第４仕切板部１１７が接続されている。
【０１１９】
第４仕切板部１１７において第３仕切板部１１６と対向する側には罫線１２９を介して前板部１１８が接続されている。前板部１１８において第４仕切板部１１７と対向する側には罫線１３０を介して第１側板部１２１が接続されている。第１側板部１２１において前板部１１８と対向する側には罫線１３１を介して背板部１１９が接続されている。
【０１２０】
各々の仕切板部１１４〜１１７には、同一縁部に（図において上縁部に）略台形状の係止片１３２、１３３、１３４、１３５が、それぞれ罫線１３６、１３７、１３８、１３９を介して接続されている。
【０１２１】
背板部１１９において、各仕切板部１１４〜１１７に係止片１３２〜１３５が接続された側と同じ側の縁部（上縁部）に連結部１４１が接続され、その連結部１４１には罫線１４２を介して蓋部１２０が接続され、更に蓋部１２０には罫線１４３を介して覆い部１２４が接続されている。
【０１２２】
また、背板部１１９において、連結部１４１と対向する側には罫線１４４を介して底板部１２３が接続され、その底板部１２３には罫線１４５を介してのりしろ１４６が接続されている。
【０１２３】
更に、背板部１１９において第１側板部１２１と対向する側には罫線１４７を介して第２側板部１２２が接続されている。第２側板部１２２において背板部１１９と対向する側には罫線１４８を介して前板覆い部１２５が接続されている。
【０１２４】
前板覆い部１２５には、その下縁部に罫線１４９を介して略台形状の内ケース側係止片（以下、単に係止片という）１５０が接続されている。
【０１２５】
（内ケースブランクの組み立て）
以上のように形成された内ケースブランク１１３は、各罫線を折曲げて組み立てられる。以下、その組み立てについて具体的に説明していく。
【０１２６】
図２４に示すように、各仕切板部１１４〜１１７の境界に位置する各罫線１２６〜１２８は交互に山折りと谷折りを繰り返して折り曲げられる。具体的には、罫線１２６は山折りされ、罫線１２７は谷折りされ、罫線１２８は山折りされる。また、第４仕切板部１１７と前板部１１８との境界の罫線１２９は谷折りされる。
【０１２７】
また、第１仕切板部１１４と第３仕切板部１１６にそれぞれ接続された係止片１３２、１３４は紙面手前側に折り曲げられ、第２仕切板部１１５と第４仕切板部１１７にそれぞれ接続された係止片１３３、１３５は紙面向こう側に折り曲げられる。
【０１２８】
以上の各仕切板部１１４〜１１７及び各係止片１３２〜１３５が折り曲げられて、第４仕切板部１１７を前板部１１８に重ね合わせた状態を図２５に示す。すなわち、各仕切板部１１４〜１１７は前板部１１８に重なっている。
【０１２９】
図２５の状態から、第１側板部１２１の両側の罫線１３０、１３１を谷折りして第１仕切板部１１４を背板部１１９に重ね合わせると、前板部１１８裏面を一番上にして各仕切板部１１４〜１１７は背板部１１９に重ねられる。この後、第２側板部１２２を挟む両罫線１４７、１４８を谷折りして前板覆い部１２５を前板部１１８に重ね合わせて係止片１５０を手前側に折返し、更に底板部１２３を挟む両罫線１４４、１４５を谷折りしてのりしろ１４６を前板部１１８に重ねた状態を、図２６に示す。
【０１３０】
前板覆い部１２５及びのりしろ１４６を前板部１１８に接着することで、本実施の形態による内ケース１１１が得られる。なお、係止片１５０は前板覆い部１２５に対して接着されていない。
【０１３１】
これにより、図１９に示すように、内ケース１１１に４つの保持部１５１ａ〜１５１ｄが形成される。第１の保持部１５１ａは背板部１１９と第１仕切板部１１４表面とが対向した間の空間として形成され、第２の保持部１５１ｂは第１仕切板部１１４裏面と第２仕切板部１１５裏面とが対向した間の空間として形成され、第３の保持部１５１ｃは第２仕切板部１１５表面と第３仕切板部１１６表面とが対向した間の空間として形成され、第４の保持部１５１ｄは第３仕切板部１１６裏面と第４仕切板部１１７裏面とが対向した間の空間として形成される。
【０１３２】
このように本実施の形態では、相互に重ねられた複数の板状部である第１〜第４仕切板部１１４〜１１７及び背板部１１９が複数の保持部１５１ａ〜１５１ｄを画成する仕切部として機能する。
【０１３３】
底板部１２３は、各保持部１５１ａ〜１５１ｄに収納される収納物の一部分を支持する底部として機能する。
【０１３４】
また、内ケース１１１において、第１仕切板部１１４の上縁部から折り曲げられた係止片１３２は第１の保持部１５１ａ内に入り込んで位置している。第２仕切板部１１５の上縁部から折り曲げられた係止片１３３は第２の保持部１５１ｂ内に入り込んで位置している。第３仕切板部１１６の上縁部から折り曲げられた係止片１３４は第３の保持部１５１ｃ内に入り込んで位置している。第４仕切板部１１７の上縁部から折り曲げられた係止片１３５は第４の保持部１５１ｄ内に入り込んで位置している。
【０１３５】
（インデックス部材）
また、各保持部１５１ａ〜１５１ｄには、図２３にその平面図が示されるカード状のインデックス部材１１２ａ〜１１２ｄが挿入される。各インデックス部材１１２ａ〜１１２ｄは、各仕切板部１１４〜１１７よりわずかに小さい正方形状を呈する収納物支持部１５２ａ〜１５２ｄと、この収納物支持部１５２ａ〜１５２ｄの上縁部に接続されたタブ１５３ａ〜１５３ｄと、収納物支持部１５２ａ〜１５２ｄの下縁部に罫線１５４ａ〜１５４ｄを介して接続された折返し片１５５ａ〜１５５ｄとから構成される。
【０１３６】
そして、各インデックス部材１１２ａ〜１１２ｄはその内側に折り曲げられた各折返し片１５５ａ〜１５５ｄを、各保持部１５１ａ〜１５１ｄ内の係止片１３２〜１３５に対向させるようにして各保持部１５１ａ〜１５１ｄ内に収納される。インデックス部材１１２ａ〜１１２ｄは折返し片１５５ａ〜１５５ｄが折り曲げられた下縁部側から保持部１５１ａ〜１５１ｄに挿入される。各インデックス部材１１２ａ〜１１２ｄの各収納物支持部１５２ａ〜１５２ｄは保持部１５１ａ〜１５１ｄ内に完全に収まり、収納物支持部１５２ａ〜１５２ｄ上縁に接続されたタブ１５３ａ〜１５３ｄは保持部１５１ａ〜１５１ｄから飛び出した状態となる。
【０１３７】
（内ケースの外ケースへの収納）
以上のように組み立てられた内ケース１１１は、その底板部１２３側から、外ケース３の一側面に形成された挿入口４に挿入されて外ケース３内に収納される。このとき、内ケース１１１の前板覆い部１２５の下縁に接続された係止片１５０は、図１９、２０に示すように折り返された状態で挿入口４に挿入される。
【０１３８】
内ケース１１１が外ケース３内に完全に収納された状態では、内ケース１１１に形成された罫線１４２、１４３が折り曲げられることによって、蓋部１２０が各保持部１５１ａ〜１５１ｄの開口を覆うと共に、覆い部１２４が挿入口４に差し込まれて前板覆い部１２５に被さる。これによって、内ケース１１１が外ケース３に収納された状態で、各保持部１５１ａ〜１５１ｄの開口は露出せず、収納物の飛び出しを防げると共に収納物へのゴミやほこりの付着も防げる。
【０１３９】
なお、蓋部１２０と背板部１１９との間の連結部１４１の存在によって、蓋部１２０は連結部１４１の幅（短尺側の長さ）分の距離を隔てて保持部１５１ａ〜１５１ｄの開口に対向することになる。すなわち、連結部１４１を設けることで、蓋部１２０と保持部１５１ａ〜１５１ｄの開口との間に、インデックス部材１１２ａ〜１１２ｄのタブ１５３ａ〜１５３ｄの飛び出し長さ分の空間を確保している。
【０１４０】
各保持部１５１ａ〜１５１ｄに収納された収納物は、各仕切板部１１４〜１１７によって他の収納物とは完全に隔離されており相互の接触を避けることができる。よって、収納物どうしの接触摩擦で収納物に傷が付くことを防げる。また、不織布の袋などで収納物を１枚１枚包む必要もなくなり、コストの低減や、使用の度に収納物を不織布に出し入れするといった面倒さも解消される。
【０１４１】
（内ケースの外ケースからの引出し）
外ケース３から内ケース１１１を引き出すには、外ケース３表面側に形成された孔１４（図２２参照）から露出している内ケース１１１の覆い部１２４に例えば親指を掛けると共に、外ケース３裏面側に形成された切欠き１３から露出している部分に例えば人差し指を掛けて内ケース１１１を把持し、内ケース１１１を外ケース３から引き出す。
【０１４２】
このとき、図１９、２０に示すように、内ケース１１１が半分ほど外ケース３から引き出された状態で、内ケース１１１の前板覆い部１２５に折り返された係止片１５０と、外ケース３の上面パネル６に折り返されている係止片１０とが係合して、内ケース１１１のそれ以上の引き出しができないようになっている。すなわち、内ケース１１１と外ケース３との分離を防いで内ケース１１１と外ケース３とを１ピースの製品として取り扱うことができる。これにより、一方のケースの脱落を防いで破損や紛失を防止することができる。
【０１４３】
内ケース１１１が図２０のように外ケース３から引き出されると、外ケース３内に差し込まれていた覆い部１２４も外れ、覆い部１２４及び蓋部１２０によって覆われていた保持部１５１ａ〜１５１ｄの開口を露出させることができる。
【０１４４】
そして、例えば保持部１５１ｄに挿入されているインデックス部材１１２ｄのタブ１５３ｄを指でつまんでインデックス部材１１２ｄを引き出すことで、図２１に示すように、インデックス部材１１２ｄの折返し片１５５ｄが折り曲げられた谷部に収納物２０の端が引っかけられて収納物２０もインデックス部材１１２ｄと一緒に引き出される。他の保持部１５１ａ〜１５１ｃに挿入されたインデックス部材１１２ａ〜１１２ｃについても同様に引きだすことで収納物の取り出しを行える。
【０１４５】
タブ１５３ａ〜１５３ｄに収納物２０を識別する情報などを印しておけば、各保持部１５１ａ〜１５１ｄに収納された複数の収納物の中から所望の収納物のみを選択的に容易に取り出すことができる。そして、インデックス部材１１２ａ〜１１２ｄと共に保持部１５１ａ〜１５１ｄから引き出された収納物であるディスク状記録媒体２０はその中心孔２０ａを露出させるので、その中心孔２０ａに指を掛けることができ、ディスク状記録媒体２０の情報記録面には指を触れずにディスク状記録媒体２０を取り出すことができる。
【０１４６】
なお、図２１に示すように、インデックス部材１１２ｄの折返し片１５５ｄと、保持部１５１ｄ内に形成された係止片１３５とが係合して、インデックス部材１１２ｄのそれ以上の引き出しができないようになっている。これにより、インデックス部材１１２ｄの紛失などを防げる。更に、インデックス部材１１２ｄを強く引いてしまうことで収納物が勢い余って飛び出して落下してしまうのも防げる。他のインデックス部材１１２ａ〜１１２ｃについても同様である。
【０１４７】
（第４の実施の形態）
図１８は第４の実施の形態による収納ケースを示す。なお、第１の実施の形態と同じ構成部分には同一の符号を付しその詳細な説明は省略する。
【０１４８】
内ケース８０は、その側部である蛇腹状部５０、５１において、保持部５４ａ〜５４ｄの開口から遠ざかった底部寄りの最下部に切欠き８１を形成している点で第１の実施の形態と異なる。その切欠き８１を介して、保持部５４ａ〜５４ｄの底部において内ケース８０の内外が連通している。
【０１４９】
保持部５４ａ〜５４ｄの底部では、蛇腹状部５０、５１を構成する各壁部間の間隔が、開口側に比べて狭くなっており、内ケース８０の外ケース３への収納時に蛇腹状部５０、５１が圧縮されると、収納物の一部分を狭圧するような状態となりやすい。
【０１５０】
そこで、保持部５４ａ〜５４ｄの底部寄りの蛇腹状部５０、５１の最下部を切り欠いて、ここの部分に壁部間の圧迫力が作用しないようにした。
【０１５１】
（第５の実施の形態）
図２７は第５の実施の形態による収納ケースを示す。なお、第１の実施の形態と同じ構成部分には同一の符号を付しその詳細な説明は省略する。
【０１５２】
本実施の形態では、蛇腹状部５０、５１の稜線部分（組み立て前における罫線部分）にスリット１６０、またはミシン目１６１を形成して、蛇腹状部５０、５１の反発力を調整している。これにより、蛇腹状部５０、５１が閉じたときの圧迫力や、開いたときの広がり角を、収納物の保護と取り出し易さを考慮した最適なものとすることができる。スリット１６０は線状に限らず長方形状や楕円形状であってもよい。
【０１５３】
紙材にスリット１６０やミシン目１６１を形成することからその強度低下や耐久性の問題を考慮すると、スリット１６０は罫線長さの７０％以下、ミシン目１６１の破断部の割合は罫線長さの６０％以下とするのが好ましい。
【０１５４】
（第６の実施の形態）
図２８は第６の実施の形態による内ケースの要部断面を示す。本実施の形態では、相対向して形成された２本の罫線１６６ａ、１６６ｂを折り曲げることによって、収納物保持部１６８の内壁を構成するようにしている。２本の罫線１６６ａ、１６６ｂ間の間隙の大きさａを調整することによって、収納物保持部１６８内の空間寸法を調整できる。
【０１５５】
例えば、収納物としてディスク状記録媒体２０を考えた場合、ディスク状記録媒体２０では±０．４ｍｍ以下の反りであれば規格上許容されている。したがって、必要とされる間隙の大きさａとしてはディスク状記録媒体２０の厚さに加えて反り量も考慮しなくてはならない。そこで、許容される最大限の反り量（絶対値）を有するディスク状記録媒体（反対方向にそれぞれ最大０．４ｍｍずつ反っているディスク状記録媒体）２０の収納を可能とするには、（ディスク状記録媒体２０の厚さ＋０．８ｍｍ）の大きさの間隙を確保しておけば、反りの生じたディスク状記録媒体２０に無理な圧迫力を作用させずに収納できる。
【０１５６】
あるいは、紙材として例えばＦフルート（厚さ０．７ｍｍ）、Ｇフルート（厚さ０．５ｍｍ）といった極薄の段ボール１６７を使用した場合、図２９に示すように、エンボス加工によって、ディスク状記録媒体２０を嵌め込むための凹部を形成させることができる。この場合、罫線１６６ａ、１６６ｂ間の間隙の大きさｂをディスク状記録媒体２０の厚さよりも小さくすることで、収納物保持部１６８内に必要以上の空間が形成されることによるディスク状記録媒体２０の過剰な動きあるいは振動を防いで、ディスク状記録媒体２０の保持力を高めることができる。
【０１５７】
この場合の間隙の大きさｂとしては、厚さ０．７ｍｍのＦフルートあるいは厚さ０．５ｍｍのＧフルートに対する現実的なエンボス加工量を考慮して、小さくしても（ディスク状記録媒体２０の厚さ−０．５ｍｍ）までとする。
【０１５８】
なお、収納物保持部１６８の内壁を１本の罫線で構成した場合でも、その罫線の幅を調整することで上記間隙ａ、ｂの大きさは調整できる。罫線の幅は、紙材に押し付ける押し刃自体の幅を調整したり、あるいは複数本の押し刃を同時に押し付けるなどして調整可能である。
【０１５９】
以上、本発明の各実施の形態について説明したが、勿論、本発明はこれらに限定されることなく、本発明の技術的思想に基づいて種々の変形が可能である。
【０１６０】
上記各実施の形態の内ケースにおいて、少なくとも収納物が接触する保持部の部分に例えば不織布やその他収納物との接触摩擦を低減させる材料を被覆してもよい。
【０１６１】
外ケース３は、一側面のみが開口した形状に限らず、その開口と対向する側面側も開口させてもよい。
【０１６２】
上記第１の実施の形態において、差込片のスリットへの差し込みによって内ケースがばらけないようにしているが、第３の実施の形態のように接着させてもよい。もちろん、第３の実施の形態の内ケースを接着ではなく、第１の実施の形態のように差込片のスリットへの差し込みにて作製してもよい。
【０１６３】
収納物保持部には、ディスク状記録媒体の他、ディスク状記録媒体に関する情報、歌詞や使用説明等を記載した小冊子も合わせて収納してもよい。その他、磁気カード、ＩＣカード、板状のチョコレートなどの薄型の菓子類なども収納可能である。また、保持部の数は上記各実施の形態に示す数に限ることはない。
【０１６４】
【発明の効果】
本発明によれば、内ケースは仕切部によって画成された複数の収納物保持部を有しているので、複数の収納物を互いに密接に接触させることなく収納することができ、収納物の傷の防止が図れる。このことは、収納物の品質を損なわないばかりでなく使用者に安心感を与えることにもつながる。
【０１６５】
また、収納物保持部は収納物を出し入れ可能な開口を有し、その開口を内ケースの引出し方向に向けた状態で、内ケースは外ケースの一側面に形成された挿入口に対して摺動自在となっているので、収納物の出し入れを簡単に行える。
【図面の簡単な説明】
【図１】第１の実施の形態において、内ケースが外ケーから引き出された状態の収納ケースの斜視図である。
【図２】収納物が収納された内ケースを図１とは別角度から見た斜視図である。
【図３】同収納ケースの平面図である。
【図４】図３の裏面図である。
【図５】内ケースの斜視図である。
【図６】内ケースブランクの平面図である。
【図７】内ケースブランクの組み立て途中を示す斜視図である。
【図８】内ケースの背面図である。
【図９】外ケースブランクの平面図である。
【図１０】外ケースブランクの組み立て途中を示す斜視図である。
【図１１】第２の実施の形態における内ケースの背面図である。
【図１２】第２の実施の形態において、内ケースが外ケーから引き出された状態の収納ケースの斜視図である。
【図１３】図１２に示す内ケースに収納物を収納し、インデックス部材ごと収納物を保持部から引き出した状態を示す斜視図である。
【図１４】インデックス部材を折り畳んだ状態の平面図である。
【図１５】第２の実施の形態における内ケースブランクの平面図である。
【図１６】同内ケースブランクの組み立て途中の斜視図である。
【図１７】インデックス部材の平面図である。
【図１８】第４の実施の形態による収納ケースの斜視図である。
【図１９】第３の実施の形態において、内ケースが外ケーから引き出された状態の収納ケースの斜視図である。
【図２０】図１９において、内ケースの保持部にインデックス部材が差し込まれた状態を示す斜視図である。
【図２１】図２０に示すインデックス部材を収納物ごと保持部から引き出した状態を示す斜視図である。
【図２２】第３の実施の形態による収納ケースの平面図である。
【図２３】第３の実施の形態において、内ケースブランク及びインデックス部材の平面図である。
【図２４】図２３に示す内ケースブランクの組み立て途中の斜視図である。
【図２５】図２４に続く組み立て途中を示す平面図である。
【図２６】図２５に続く組み立て途中を示す平面図である。
【図２７】第５の実施の形態による収納ケースの斜視図である。
【図２８】第６の実施の形態による収納ケースの要部断面図である。
【図２９】第６の実施の形態による収納ケースの要部断面図である。
【符号の説明】
１…収納ケース、２…内ケース、３…外ケース、４…挿入口、５…外ケースブランク、１０…外ケース側係止片、１６…内ケーブランク、１７…前板部、１７’…前板部、１８…背板部、１８’…背板部、２１，２２…張出し部、２３…蓋部、２４…覆い部、２５…前板補助部、２５’…前板補助部、２７ａ，２７ｂ…内ケース側係止片、２８…折返し部、２８’…折返し部、３２ａ〜３２ｅ…罫線、３３ａ〜３３ｅ…罫線、５０，５１…蛇腹状部、５２ａ〜５２ｆ…壁部（仕切部）、５３ａ〜５３ｆ…壁部（仕切部）、５４ａ〜５４ｄ…収納物保持部、６０…内ケースブランク、６１，６２…張出し部、６３ａ〜６３ｆ…壁部（仕切部）、６４ａ〜６４ｆ…壁部（仕切部）、６５ａ〜６５ｃ…係止片、６６ａ〜６６ｃ…係止片、７０…内ケース、７１ａ〜７１ｃ…インデックス部材、７２ａ〜７２ｃ…タブ、７３ａ〜７３ｃ…係止片、７５ａ〜７５ｃ…収納物支持部、７６〜７８…折返し片、８０…内ケース、８１…切欠き、８２，８３…蛇腹状部、８４ａ〜８４ｄ…収納物保持部、９０…収納ケース、１１０…収納ケース、１１１…内ケース、１１２ａ〜１１２ｄ…インデックス部材、１１３…内ケースブランク、１１４〜１１７…仕切板部（仕切部）、１１８…前板部、１１９…背板部（仕切部）、１２０…蓋部、１２１…第１側板部、１２２…第２側板部、１２３…底板部、１２４…覆い部、１２５…前板覆い部、１３２〜１３５…係止片、１５０…内ケース側係止片、１５１ａ〜１５１ｄ…収納物保持部、１５２ａ〜１５２ｄ…収納物支持部、１５３ａ〜１５３ｄ…タブ、１５５ａ〜１５５ｄ…折返し片。
【図１】
2004292009.tif 000003
【図２】
2004292009.tif 000004
【図３】
2004292009.tif 000005
【図４】
2004292009.tif 000006
【図５】
2004292009.tif 000007
【図６】
2004292009.tif 000008
【図７】
2004292009.tif 000009
【図８】
2004292009.tif 000010
【図９】
2004292009.tif 000011
【図１０】
2004292009.tif 000012
【図１１】
2004292009.tif 000013
【図１２】
2004292009.tif 000014
【図１３】
2004292009.tif 000015
【図１４】
2004292009.tif 000016
【図１５】
2004292009.tif 000017
【図１６】
2004292009.tif 000018
【図１７】
2004292009.tif 000019
【図１８】
2004292009.tif 000020
【図１９】
2004292009.tif 000021
【図２０】
2004292009.tif 000022
【図２１】
2004292009.tif 000023
【図２２】
2004292009.tif 000024
【図２３】
2004292009.tif 000025
【図２４】
2004292009.tif 000026
【図２５】
2004292009.tif 000027
【図２６】
2004292009.tif 000028
【図２７】
2004292009.tif 000029
【図２８】
2004292009.tif 000030
【図２９】
2004292009.tif 000031